(57)【要約】【課題】取付簡単、堅牢で、しかも一部の脚杆間だけが開口し殆どの脚杆間に足載せ可能な円弧状に延びる足支持部を有する椅子の足掛け装置を提供する。【解決手段】座２の下方の中央支柱３の下端部より放射状に複数の脚杆４を延設して形成された脚６を有する椅子１において、脚６における複数の脚杆４の上部に載置された載置部１０と、載置部１０により支持され、中央に中央支柱３が挿通しうる空所２０を有するとともに、一側部に、空所２０に連通し、かつ中央支柱３の外径より大きい幅の開口１９が形成された円弧状の足支持部１２とを備える足掛け部材８を脚６に取り付ける。【選択図】　　　　図２
2004049720.tif 000002
【特許請求の範囲】
【請求項１】
座の下方の中央支柱の下端部より放射状に複数の脚杆を延設して形成された脚を有する椅子において、
前記脚における複数の脚杆の上部に載置された載置部と、該載置部により支持され、中央に前記中央支柱が挿通しうる空所を有するとともに、一側部に、前記空所に連通し、かつ前記中央支柱の外径より大きい幅の開口が形成された円弧状の足支持部とを備える足掛け部材を脚に取り付けたことを特徴とする椅子の足掛け装置。
【請求項２】
全脚杆に載置部を載置し、かつ互いに隣接する１対の脚杆の間のみを残して、全載置部を足支持部により連結した請求項１記載の椅子の足掛け装置。
【請求項３】
各載置部より放射方向に上向きの連結杆を設け、各連結杆の先端で足支持部を支持するようにした請求項１または２記載の椅子の足掛け装置。
【請求項４】
椅子の脚杆の数を５本とし、足掛け部材の足支持部を、相隣る１対の脚杆の間のみが開口する円弧状とした請求項１〜３のいずれかに記載の椅子の足掛け装置。
【発明の詳細な説明】
【０００１】
【発明の属する技術分野】
本発明は、座の下方の中央支柱の下端部より放射方向に複数本の脚杆を延設した脚に足掛け部材を取り付けた椅子の足掛け装置に関する。
【０００２】
【従来の技術】
従来のこの種の足掛け装置としては、例えば特開平６−１８１８２７号公報に記載されている足載せ台付き回転椅子がある。この足載せ台は、椅子の中央支柱を中心としてリング状に形成されている典型的なものである。また、実開平７−９１５０号公報及び特開平９−２８５３６１号公報には、５本の脚杆のうちの相隣る３本の脚杆にのみにかかる半月形の足掛け台装置が示されている。
【０００３】
【発明が解決しようとする課題】
上述の足掛け装置のうち、前者はどの回転位置でも足を掛けることができる利点を有するものの、足載せ台を椅子に取り付けるのが面倒で、しかもその高さ調節を可能とする構造であるため、余計に複雑であり毀れやすい。
後者は、取付容易であるという利点を有するものの、足を掛けられる椅子の回転位置が全周の５分の２の範囲と制限があり、しかも着脱可能という反面、外れやすいという欠点を有している。
【０００４】
本発明は、上述の問題点に鑑み、取付簡単、堅牢で、しかも一部の脚杆間だけが開口し、殆どの脚杆間に足載せ可能な円弧状に延びる足支持部を有する椅子の足掛け装置を提供することを目的としている。
【０００５】
【課題を解決するための手段】
本発明によると、上記課題は、次のようにして解決される。
（１）座の下方の中央支柱の下端部より放射状に複数の脚杆を延設して形成された脚を有する椅子において、前記脚における複数の脚杆の上部に載置された載置部と、該載置部により支持され、中央に前記中央支柱が挿通しうる空所を有するとともに、一側部に、前記空所に連通し、かつ前記中央支柱の外径より大きい幅の開口が形成された円弧状の足支持部とを備える足掛け部材を脚に取り付ける。
【０００６】
（２）上記（１）項において、全脚杆に載置部を載置し、かつ互いに隣接する１対の脚杆の間のみを残して、全載置部を足支持部により連結する。
【０００７】
（３）上記（１）または（２）項において、各載置部より放射方向に上向きの連結杆を設け、各連結杆の先端で足支持部を支持するようにする。
【０００８】
（４）上記（１）〜（３）項のいずれかにおいて、椅子の脚杆の数を５本とし、足掛け部材の足支持部を、相隣る１対の脚杆の間のみが開口する円弧状とする。
【０００９】
【発明の実施の形態】
図１は、本発明の足掛け装置の一実施形態を装着した回転椅子を斜め前方から見た斜視図、図２は、これを斜め後方から見た斜視図である。
【００１０】
これらの図に示すように、椅子（１）には、座（２）の下面から下方に延びる中央支柱（３）が取り付けられている。
中央支柱（３）の下端部には、５本の脚杆（４）が放射状に等角度間隔で延設され、それぞれの脚杆（４）の先端部下面には、キャスター（５）が取り付けられ、全体として脚（６）を形成している。
【００１１】
足掛け装置（７）は、図１においては、椅子（１）に装着した状態で、図２においては、装着直前の状態で示してある。
【００１２】
足掛け装置（７）は、足掛け部材（８）と取付板（９）とからなっている。足掛け部材（８）は、図３及び図５〜図９に、また、取付板（９）は、図２、図４、図６及び図７に、それぞれ示してある。
【００１３】
この足掛け部材（８）は、下面が開口する半径方向及び周方向の多数個の内側リブで補強された合成樹脂の一体成形品からなり、前記脚（６）の５本の脚杆（４）の上に載置される載置部（１０）と、各載置部（１０）から放射方向の斜め上向きに延びる連結杆（１１）と、連結杆（９）の外端同士を連接して円弧状に形成された足支持部（１２）とを有している。
【００１４】
載置部（１０）には、図３及び図９に示すように、半径方向を向く４本または５本のリブ（１３）が設けられており、外側の２本のリブ（１３）（１３）は、脚杆（４）の外側面に沿い、ここを覆って下方に延び、後述する垂下部（１６）に連続しており、また内側の２本または３本のリブ（１３）は、脚杆（４）の上面の形状と補形をなして当接するような長さとされている。この部分には、２条の周方向のリブ（１４）も形成されているが、これらのリブ（１４）もリブ（１３）と同様にその下端が脚杆（４）の上面に当接する形状とされている。
【００１５】
それぞれの脚杆（４）に載置されるこれらの載置部（１０）は、図３及び図５に示すように、互いに隣接する１対の脚杆（４ａ）（４ａ）（図２）の上に載置される載置部（１０ａ）（１０ａ）（図３及び図５）の間を除いて、隣接するもの同士が連設部（１５）により連設され、この連設部（１５）の下部は、互いに隣接する１対の脚杆（４）（４）の間を通って垂下し、各脚杆（４）の下端面とほぼ等高の位置まで至る垂下部（１６）となっている。その垂下部（１６）の下端面ほぼ中央には、ねじ孔（１７）がそれぞれ穿設されている。
垂下部（１６）の内側面形状は、互いに隣接する１対の脚杆（４）（４）の股部の形状と補形をなすようにしてある。
【００１６】
図６〜図８に示すように、載置部（１０）から放射方向の斜め上方に向かって延出する連結杆（１１）の外端は、足支持部（１２）に続いている。図１〜図３及び図５に示すように、足支持部（１２）は、前述の互いに隣接する１対の脚杆（４ａ）（４ａ）上に載置される載置部（１０ａ）（１０ａ）より延出する連結杆（１１ａ）（１１ａ）間を除いて、平面視円弧状に繋がって形成されている。また、上面には、多数の円弧状のすべり止め用の小突条（１８）が設けられている。
【００１７】
互いに隣接する１対の載置部（１０ａ）（１０ａ）、連結杆（１１ａ）（１１ａ）及びこれに続く足支持部（１２）における半径方向のリブ（１３）の数は、他の載置部（１０）等のものより少なくし、その分だけ、載置部（１０ａ）は載置部（１０）より幅の狭いものとなっている。
【００１８】
この足支持部（１２）、連結杆（１１ａ）（１１ａ）、及び載置部（１０ａ）（１０ａ）における平面視扇形の開口（１９）は、前述の中央支柱（３）の外径より大きい幅を有し、かつ中央支柱（３）が挿通しうる円形の空所（２０）に連通している。
【００１９】
図２、図４及び図７に示すように、ほぼ円形の取付板（９）の中央には、中央支柱の（３）の下端部が嵌合する中央孔（２２）が穿設され、また、外周部には、開口（１９）に対応するＶ字状の切欠き（２２）が形成されている。
【００２０】
足掛け部材（８）の装着にあたっては、図２において矢印により示すように、これを椅子（１）の前方から、開口（１９）を中央支柱（３）に入れて、空所（２０）を中央支柱（３）に外嵌し、次いで、下方に下ろして、そのそれぞれの載置部（１０）を椅子の脚杆（４）上に載置する。ついで、脚杆（４）の下面に取付板（９）を当て、４本の取付ねじ（２３）を、取付板（９）の下方から、垂下部（１６）のねじ孔（１７）に螺入して、取付板（１９）により足掛け部材（７）を椅子（１）の脚（６）に固定する。
なお、各載置部（１０）を、その上方か、または各脚杆（４）の下方から、各脚杆（４）に直接ねじ止めしてもよい。
【００２１】
【発明の効果】
請求項１記載の発明によれば、取付簡単、堅牢で、しかも一部の脚杆間だけが開口し、殆どの脚杆間を円弧状に延びる足支持部により連結できるので、回転椅子の殆どの回転位置において足を掛けることができる。
【００２２】
請求項２記載の発明によれば、全脚杆に載置部を載置して、足掛け部材をしっかりと支持することができる。
【００２３】
請求項３記載の発明によれば、足支持部を、脚杆より高い位置に体裁よく支持することができる。
【００２４】
請求項４記載の発明によれば、足支持部がなく開口している部分を最小限とすることができる。
【図面の簡単な説明】
【図１】本発明の一実施形態を装着した回転椅子を斜め前方から見た斜視図である。
【図２】同じく、斜め後方から見た斜視図で、足掛け部材及び取付板を椅子から離した状態で示す図である。
【図３】足掛け部材の底面図である。
【図４】取付板の平面図である。
【図５】図３に示す足掛け部材の平面図である。
【図６】図５の　ＶＩ−ＶＩ　線に沿う断面図で、脚の一部とともに示す図である。
【図７】図５の　ＶＩＩ−ＶＩＩ　線に沿う断面図である。
【図８】図５の　ＶＩＩＩ−ＶＩＩＩ　に沿う断面図である。
【図９】図５のＩＸ−ＩＸ　線に沿う断面図である。
【符号の説明】
（１）回転椅子
（２）座
（３）中央支柱
（４）（４ａ）脚杆
（５）キャスター
（６）脚
（７）足掛け装置
（８）足掛け部材
（９）取付板
（１０）（１０ａ）載置部
（１１）（１１ａ）連結杆
（１２）足支持部
（１３）（１４）リブ
（１５）連設部
（１６）垂下部
（１７）ねじ孔
（１８）小突条
（１９）開口
（２０）空所
（２１）中央孔
（２２）切欠き
（２３）取付ねじ
【図１】
2004049720.tif 000003
【図２】
2004049720.tif 000004
【図３】
2004049720.tif 000005
【図４】
2004049720.tif 000006
【図５】
2004049720.tif 000007
【図６】
2004049720.tif 000008
【図７】
2004049720.tif 000009
【図８】
2004049720.tif 000010
【図９】
2004049720.tif 000011